(57)【特許請求の範囲】
【請求項１】
自動車用の後部座席装置（１）であって、直立した使用位置（Ａ）からほぼ水平な保管位置（Ｂ）に折り畳み可能な、背もたれ錠止部（１０）を解除する操作部分（９）を備えた少なくとも１つの背もたれ（６）を有しており、該操作部分（９）が背もたれ（６）の側方外側に位置する領域（１１）内に配置されており、後部座席装置（１）の乗員のための３点支承式安全ベルト（２８）が設けられていて、該３点支承式安全ベルトは片づけられた状態で、ベルト（３０）が車両側壁（８）付近で、下側の固定箇所から上側のベルト変向部材に若しくはベルト巻き上げローラに延びていて、背もたれの旋回領域内に位置している形式のものにおいて、
前記操作部分（９）が、片づけられた３点支承式安全ベルト（２８）の、隣接するベルト（３０）のためのガイド部材として使用されるように構成されており、グリッパ区分（１３）が横方向で、ベルト（３０）の幅の少なくとも大部分がグリッパ区分（１３）の上側に載る程度の寸法を有しており、また、グリッパ区分（１３）がその上側でガイド区分（３４）を有しており、該ガイド区分（３４）が、車両側壁（８）に向かう方向で上昇していて、片づけられている状態のベルト（３０）が滑って側方外側にずれるのを阻止するようになっており、外側に位置するグリッパ区分（１３）が、背もたれ（６）の、アーチ状の上側の移行領域（３３）に沿って延びていることを特徴とする、自動車用の後部座席装置。
【請求項２】
操作部分（９）が、ほぼ背もたれ（６）内に延びる旋回可能な操作レバー（１２）と、この操作レバー（１２）に結合されたグリッパ区分（１３）とから組み合わされており、該グリッパ区分（１３）が、操作レバー（１２）の自由端部に載設されていて、背もたれ（６）の外側に延びており、グリッパ区分（１３）が、隣接するベルト（３０）のためのガイド部材としても使用されるように構成されている、請求項１記載の後部座席装置。
【請求項３】
操作レバー（１２）が、背もたれ錠止部（１０）の錠（１４）の下側で、上側のカバー部分（１８）に回転可能にヒンジ接続されており、操作レバー（１２）の、オフセットされた上側の区分がカバー部分（１９）の中空室を貫通ガイドされていて、操作レバー（１２）が錠（１４）の上側のアーチ状の区分（１７）を介して錠（１４）の解除レバー（１６）と協働するようになっている、請求項２記載の後部座席装置。
【請求項４】
ガイド区分（３４）が、正面側で見て、アーチ状の延長部分を有している、請求項１記載の後部座席装置。
【請求項５】
ガイド区分（３４）が、その車両側壁（８）側に向いた端部で、上方に向けられた隆起部（３５）を有している、請求項１記載の後部座席装置。
【請求項６】
操作部分（９）が、背もたれ錠止部（１０）を解除するために車両長手方向で、つまり走行方向Ｅで旋回せしめられるようになっている、請求項１から５までのいずれか１項記載の後部座席装置。
【発明の詳細な説明】
【０００１】
【発明の属する技術分野】
本発明は、車両特に乗用車用の後部座席装置であって、直立した使用位置からほぼ水平な保管位置に折り畳み可能な、背もたれ錠止部を解除する操作部分を備えた少なくとも１つの背もたれを有しており、該操作部分が背もたれの側方外側に位置する領域内に配置されており、後部座席装置の乗員のための３点支承式安全ベルトが設けられていて、該３点支承式安全ベルトは片づけられた状態で、ベルトが車両側壁付近で、下側の固定箇所から上側のベルト変向部材に若しくはベルト巻き上げローラに延びていて、背もたれの旋回領域内に位置している形式のものに関する。
【０００２】
【従来の技術】
ドイツ連邦共和国特許公開第２９３０５４９号明細書によれば、前方に向かって折り畳み可能な少なくとも１つの背もたれを有し、背もたれの上側の側方外側の領域に背もたれ錠止部を解除する操作部分が設けられている、車両用の後部座席装置が公知である。後部座席装置の乗員のために、各座席には３点支承式安全ベルトが配属されており、この場合、片づけられた状態（つまり非使用状態）のベルトは、車両側壁付近で、下側の固定点から上側のベルト変向部材若しくはベルト巻き上げローラに向かって、しかも、背もたれの旋回領域内に延びている。このような形式の配置においては、特に背もたれが水平な保管位置から直立した使用位置に跳ね上げられる際に、背もたれの外側と隣接する車両側壁との間でベルトが緊締されてしまうとういことが明らかになった。このような不都合を取り除くために、ドイツ連邦共和国特許公開第２９３０５４９号明細書によれば、背もたれの後ろ側で上縁部付近に、側縁部に続く、後方及び車両中央に向かって延びる回避装置を配置することが知られている。この回避装置によって、背もたれが跳ね上げられる際にベルトが車両側壁に向かって変向されるので、背もたれの側壁は、ベルトを連行することなしに、ベルトのそばを通って後方に移動する。しかしながらこの公知の装置においては、ベルトの緊締を避けるために、座席の後ろ側に固定しなければならない別個の構成部分が必要とされる。
【０００３】
【発明が解決しようとする課題】
そこで本発明の課題は、車両の後部座席装置に、特に背もたれが跳ね上げられる際にベルトの緊締を安価な費用で避けることができるような手段を提供することである。
【０００４】
この課題を解決した本発明によれば、背もたれ錠止部を解除する操作部分は、片づけられた３点支承式安全ベルトの、隣接するベルトのためのガイド部材として使用されるように構成されており、グリッパ区分が横方向で、ベルトの幅の少なくとも大部分がグリッパ区分の上側に載る程度の寸法を有しており、また、グリッパ区分がその上側でガイド区分を有しており、該ガイド区分が、車両側壁に向かう方向で上昇していて、片づけられている状態のベルトが滑って側方外側にずれるのを阻止するようになっており、外側に位置するグリッパ区分が、背もたれの、アーチ状の上側の移行領域に沿って延びている。本発明の別の有利な構成要件は請求項２以下に記載されている。
【０００５】
【発明の効果】
本発明の主要な利点は、背もたれ錠止部を解除するために使用される操作部分をベルトガイド部としても使用することによって、背もたれを跳ね上げる際にベルトの緊締を阻止する、構造が簡単で安価に製造可能な装置が得られた。これによって別個の部分の製造及び取り付け作業は省かれる。ベルトは有利な形式で全長に亙って、操作部分のグリッパ区分の上側に載っている。グリッパ区分はその上側で、ベルトのためのガイド区分を有しており、このガイド区分は、車両側壁に向かって上方に上昇していて、これによってベルトが側方外側に向かって滑ってずれるのに抗して働く。ガイド区分は、正面側から見て、アーチ状の延長部分を有している。ベルトが側方に滑ってずれるのを付加的に確実に避けるようにするために、ガイド区分に、場所的に内側に向けられた突起部状又はアーチ状の隆起部が形成されている。グリッパ区分の構成によって、片づけられた状態（つまり非使用状態）のベルトが、背もたれのすべての位置においてガイドされ、緊締されることはない。
【０００６】
【発明の実施の形態】
次に本発明の実施の形態を図面に示した実施例について詳しく説明する。
【０００７】
車両つまり乗用車２用の後部座席装置１は、長手方向に延びる中央トンネル３の両側でそれぞれ１つの、座席用凹部４内にはめ込まれたクッション５と、旋回可能な所属の背もたれ６とを有している。背もたれ６は、その下縁部で、横方向に延びる水平な軸７を中心にして旋回可能に支承されており、この軸７を中心にして背もたれ６は、直立した使用位置Ａから、ほぼ水平な保管位置Ｂに、およびそれとは逆方向に旋回させることができるようになっている。図１に示した上方旋回若しくは上方に跳ね上げられた使用位置Ａにおいて、背もたれ６は、隣接する車両側壁８に錠止される。操作部分９は背もたれ錠止部１０を解除するために、背もたれ６の側方外側に位置する領域１１内に配置されている。操作部分９は、旋回可能な細長い操作レバー１２と、この操作レバー１２に結合されたグリップ区分１３とから構成されている。グリップ区分１３は、操作レバー１２の上端部に被せはめられている。背もたれ錠止部１０は、背もたれ６に固定された錠１４を有しており、該錠１４は、上部構造に配置された、車両横方向に延びる錠止ピン１５と作用接続する。上方に突き出る、錠１４の解除レバー１６は、細長い操作レバー１２と協働して、操作レバー１２のアーチ状の区分１７が解除レバー１６の上端部領域に向かって側方に押しつけられるようになっている（図４および図５）。
【０００８】
細長い操作レバー１２は、回転落下式錠(Drehfallenschloss)として構成された錠１４の下側で、プラスチックより成る上側のカバー部分１８に回転可能に支承されている。このために操作レバー１２のアンダーカットされた受容部１９が、カバー部分１８の円筒形の一体成形部２０にクリップ止めされている。カバー部分１８は上側の領域内で横断面で見てほぼ方形の、内側に存在する中空室２１を有しており、この中空室２１を通って、オフセット(offset)された操作レバー１２の部分領域が貫通案内されている。カバー部分１８の、操作レバー１２のヒンジ部の上側には、互いに上下に延びる２つのねじ山付きスリーブ２２が挿入されており、これらのねじ山付きスリーブ２２は、外部から載せられた錠１４のための固定用ねじ（詳しく図示せず）を受容する。
【０００９】
カバー部分１８は、その下端部領域が、金属薄板より成るケーシング部分２３内に挿入されており、この場合、ケーシング部分２３は背もたれ６の後壁２４に堅固に結合されている（例えばリベットによって）。ケーシング部分２３はさらに、背もたれ６を旋回可能に支承するための、プラスチックより成る下側の支承部２５を有している。
【００１０】
図４によれば、操作レバー１２は、カバー部分１８を越えて下方に突き出ていて、その自由端部Ｂで、挿入された内実部分２６を備えている。カバー部分１８とグリップ区分１３の下側との間にはロゼット(Rosette)２７が設けられており、このロゼット２７にはカバー部分１８が固定されている（例えばねじによって）。
【００１１】
背もたれ錠止部１０を解除するために、操作部分９は車両長手方向つまり走行方向Ｅで、錠止位置Ｃから解錠位置Ｄに旋回せしめられる。図示の実施例では、後部座席装置１は、別個の背もたれ６を備えた、互いに隣接する２つの座部を有しており、各座部にはそれぞれ別個の３点支承式安全ベルト２８が配属されている。
【００１２】
各３点支承式安全ベルト２８は、中央トンネル３に隣接して配置されたベルトバックル２９と、腰および肩ベルトを形成するベルト３０とから成っている。ベルト３０は、符号３１の箇所で車両床部又は車両側壁８に固定されていて、ここから上方に向かって、詳しく図示していない上側のベルト変向部材に延びている。
【００１３】
ベルト変向部材の後ろでベルト３０は、同様に詳しく図示していないベルト巻き上げローラ内に侵入している。ベルト３０には錠舌片３２が設けられており、この錠舌片３２はベルトバックル２９に接続可能である。ベルト３０は、３点支承式安全ベルト２８が片づけられている状態では車両側壁８付近に延びている。特に、背もたれ６が保管位置Ｂから使用位置Ａに跳ね上げられている時には、背もたれ６とこれに隣接する車両側壁８との間でベルト３０が締め付けられるのを避けるために、本発明によれば、操作部分９が同時に、片づけられている３点支承式安全ベルト２８の隣接するベルト３０のためのガイド部材として使用されている。このために、上側に位置するアーチ状の移行領域３３内に延びる、背もたれ６のグリップ区分１３は、その上側でガイド区分３４を有している（図５）。このガイド区分３４は、車両側壁８に向かう方向で上昇して延びており、これによって片づけられたベルト３０が外方に滑らないように作用する。正面図で見てガイド区分３４は、アーチ状の形状を有している（図５）。
【００１４】
車両横方向に延びるグリップ区分１３は、ベルト３０の幅の少なくとも一部が、グリッパ区分１３の上側に載るような幅を有している。グリッパ区分１３は有利には、ベルト３０よりやや幅広であるので、ベルトはその幅全体に亙ってグリッパ区分１３に載るようになっている。付加的に、ガイド区分３４つまり、車両側壁８側に向けられた端部には、上側に突起部状の又はアーチ状の隆起部が設けられており、該隆起部３５は、ベルト３０がグリップ区分１３を越えて外方に移動することを妨げる。操作部分９の２重機能によって、後部座席装置１の構造は、著しく簡略化され、片づけられた３点支承式安全ベルト２８は背もたれ６のすべての位置で横方向にガイドされている。
【図面の簡単な説明】
【図１】片づけられた状態の３点支承式安全ベルトを備えた乗用車のための後部座席装置の一部の斜視図である。
【図２】背もたれがほぼ水平な保管位置に折り倒された位置に移動されている、保管位置にある３点支承式安全ベルトを備えた後部座席装置の一部の斜視図である。
【図３】本発明による背もたれの操作部分の、図１に類似した斜視図である。
【図４】図３のIV−IV線に沿って拡大した断面図である。
【図５】図４のＶ−Ｖ線に沿って拡大した断面図である。
【符号の説明】
１  後部座席装置、  ２  乗用車、  ３  中央トンネル、  ４  座席用凹部、５  クッション、  ６  背もたれ、  ７  軸、  ８  車両側壁、  ９  操作部分、  １０  背もたれ錠止部、  １１  領域、  １２  操作レバー、  １３  グリップ区分、  １４  錠、  １５  錠止ピン、  １６  解除レバー、  １７  区分、  １８  カバー部分、  １９  受容部、  ２０  一体成形部、  ２１  中空室、  ２２  ねじ山付きスリーブ、  ２３  ケーシング部分、  ２４  後壁、  ２５  支承部、  ２６  内実部分、  ２７  ロゼット、  ２８  ３点支承式安全ベルト、  ２９  ベルトバックル、  ３０  ベルト、  ３２  錠舌片、  ３３  移行領域、  ３４  ガイド区分、  ３５  隆起部
【図１】
0003881725.tif 000002
【図２】
0003881725.tif 000003
【図３】
0003881725.tif 000004
【図４】
0003881725.tif 000005
【図５】
0003881725.tif 000006